(57)【特許請求の範囲】
【請求項１】
送信すべき伝送信号を送信側局発信号を用いてアップコンバートし、該アップコンバート後の信号を送信アンテナから放射する送信装置と、
前記送信アンテナからの送信電波を受信アンテナにて受信し、該受信信号を受信側局発信号を用いてダウンコンバートすることにより、前記伝送信号を復元する受信装置と、
を備えた送受信システムであって、
前記送信装置は、前記アップコンバートによって送信信号の伝送帯域内となる一定周波数のパイロット信号を生成して、該パイロット信号と前記伝送信号とを前記送信側局発信号を用いてアップコンバートすることにより、前記伝送信号と前記パイロット信号とを同時に無線送信し、
前記受信装置は、前記受信信号をダウンコンバートすることにより得られた信号を、前記伝送信号に対応した受信伝送信号と前記パイロット信号に対応した受信パイロット信号とに分離すると共に、前記送信装置側で生成されるパイロット信号と一定周波数関係にある補正用基準信号を生成して、該補正用基準信号と前記受信パイロット信号とを混合することにより補正信号を生成し、更に、該補正信号と前記受信伝送信号とを混合することにより、前記受信伝送信号を周波数変換し、該周波数変換後の信号から前記送信装置が送信してきた元の伝送信号を抽出するよう構成され、
しかも、前記受信装置において、前記受信伝送信号から分離された受信パイロット信号又は該受信パイロット信号に基づき生成された前記補正信号が通過する信号経路上には、前記受信パイロット信号又は前記補正信号の信号レベルが目標レベルとなるよう、前記受信パイロット信号又は前記補正信号を増幅又は減衰させる第２の信号レベル制御回路が設けられていることを特徴とする送受信システム。
【請求項２】
前記受信装置には、前記第２の信号レベル制御回路に加えて、
前記ダウンコンバートによって得られた前記受信伝送信号及び前記受信パイロット信号を含む受信信号全体の平均電力を検出し、該平均電力が目標レベルとなるように該受信信号を増幅又は減衰させる第１の信号レベル制御回路、
が設けられていることを特徴とする請求項１に記載の送受信システム。
【請求項３】
前記送信装置は、前記伝送信号と前記パイロット信号とを同レベルで送信するよう構成されていることを特徴とする請求項１又は請求項２に記載の送受信システム。
【請求項４】
送信すべき伝送信号と一定周波数のパイロット信号とを送信側局発信号を用いてアップコンバートし、該アップコンバート後の信号を送信アンテナから無線にて送信してくる送信装置からの送信電波を受信アンテナにて受信し、該受信信号を受信側局発信号を用いてダウンコンバートすることにより、前記伝送信号を復元する受信装置であって、
前記受信側局発信号を発生する受信側局発信号発生手段と、
該受信側局発信号発生手段が発生した受信側局発信号を用いて前記受信アンテナからの受信信号をダウンコンバートする周波数変換手段と、
該周波数変換手段にてダウンコンバートされた信号を、前記伝送信号に対応する受信伝送信号と前記パイロット信号に対応した受信パイロット信号とに分離する信号分離手段と、
前記送信装置側で生成されるパイロット信号と一定周波数関係にある補正用基準信号を生成する基準信号生成手段と、
該基準信号生成手段にて生成された補正用基準信号と前記信号分離手段にて分離された受信パイロット信号とを混合することにより、前記受信伝送信号から元の伝送信号を復元するための補正信号を生成する補正信号生成手段と、
該補正信号生成手段にて生成された補正信号と前記信号分離手段にて分離された受信伝送信号とを混合することにより、前記受信伝送信号を周波数変換し、該周波数変換後の信号から前記送信装置が送信してきた元の伝送信号を抽出する信号抽出手段と、
を備え、前記信号分離手段にて分離された受信パイロット信号が通過する信号経路上又は前記補正信号生成手段にて生成された補正信号が通過する信号経路上には、前記受信パイロット信号又は前記補正信号の信号レベルが目標レベルとなるよう、前記受信パイロット信号又は前記補正信号を増幅又は減衰させる第２の信号レベル制御回路が設けられていることを特徴とする受信装置。
【請求項５】
前記周波数変換手段から前記信号分離手段に至る受信信号の信号経路上には、前記ダウンコンバートにより得られた前記受信伝送信号及び前記受信パイロット信号を含む受信信号全体の平均電力を検出し、該平均電力が目標レベルとなるように該受信信号を増幅又は減衰させる第１の信号レベル制御回路が設けられていることを特徴とする請求項４に記載の受信装置。
【発明の詳細な説明】
【技術分野】
【０００１】
本発明は、受信装置に送信すべき伝送信号を送信装置側でアップコンバートして無線送信し、受信装置側ではその送信電波を受信し、受信信号をダウンコンバートすることにより元の伝送信号を復元する送受信システム、及び、このシステムを構築するのに好適な受信装置に関する。
【背景技術】
【０００２】
従来、広帯域な信号を高品質に無線伝送するために、送信装置側では、受信装置側に伝送すべき伝送信号を、局部発振器で生成した局発信号を用いて、ＳＨＦ（センチ波）、ＥＨＦ（ミリ波）等のマイクロ波帯にアップコンバートし、そのアップコンバートした信号を送信アンテナから放射し、受信装置側では、送信アンテナからの送信電波を受信アンテナにて受信し、その受信信号を、送信装置側と同じ周波数の局発信号を用いて周波数変換することにより、元の伝送信号を復元するよう構成された送受信システムが知られている。
【０００３】
また、この種の送受信システムでは、送信装置側から受信装置側には、伝送信号と共に一定周波数のパイロット信号を送信するようにし、受信装置側では、受信したパイロット信号を用いて、受信信号（伝送信号）の周波数及び信号レベルを各々制御することで、元の伝送信号を正確にしかも安定して復元できるようにすることが提案されている（例えば、特許文献１等参照）。
【特許文献１】特開２００４−２３５７５８号
【発明の開示】
【発明が解決しようとする課題】
【０００４】
ところで、送信装置から送信されたパイロット信号は、送信装置側の送信アンテナと受信装置側の受信アンテナとの間の空間における電波の伝播状態の変化（例えばフェージング）によって、他の伝送信号とは異なる変動量でレベル変動することがある。
【０００５】
このため、上記提案の送受信システムでは、送信装置から送信されたパイロット信号が他の伝送信号と同様にレベル変動している場合には、受信装置側で受信信号（伝送信号）の信号レベルを適正に制御することはできるものの、フェージングなどによって、パイロット信号の無線伝送路でのレベル変動量が他の伝送信号と異なるようになると、受信装置側で受信信号（伝送信号）を適正レベルに制御することができなくなり、元の伝送信号を正確に復元できなくなってしまう問題が生じる。
【０００６】
また、パイロット信号は、パイロット信号自身の周波数変動を利用して、受信信号（伝送信号）の周波数変動を相殺するのにも用いられるが、フェージングなどによってパイロット信号の信号レベルが変動して、パイロット信号を適正レベルに制御できない場合には、受信信号（伝送信号）の周波数を正確に補正することができなくなる、という問題も生じる。
【０００７】
本発明は、こうした問題に鑑みなされたもので、送信装置では伝送信号とパイロット信号とをアップコンバートして送信し、受信装置ではダウンコンバート後の受信信号の周波数をパイロット信号を用いて補正することにより元の伝送信号を復元する送受信システムにおいて、受信装置側で、パイロット信号のレベル変動の影響を受けることなく元の伝送信号を正確に復元できるようにすることを目的とする。
【課題を解決するための手段】
【０００９】
かかる目的を達成するためになされた請求項１に記載の発明は、
送信すべき伝送信号を送信側局発信号を用いてアップコンバートし、該アップコンバート後の信号を送信アンテナから放射する送信装置と、前記送信アンテナからの送信電波を受信アンテナにて受信し、該受信信号を受信側局発信号を用いてダウンコンバートすることにより、前記伝送信号を復元する受信装置とを備えた送受信システムであって、
前記送信装置は、前記アップコンバートによって送信信号の伝送帯域内となる一定周波数のパイロット信号を生成して、該パイロット信号と前記伝送信号とを前記送信側局発信号を用いてアップコンバートすることにより、前記伝送信号と前記パイロット信号とを同時に無線送信し、
前記受信装置は、前記受信信号をダウンコンバートすることにより得られた信号を、前記伝送信号に対応した受信伝送信号と前記パイロット信号に対応した受信パイロット信号とに分離すると共に、前記送信装置側で生成されるパイロット信号と一定周波数関係にある補正用基準信号を生成して、該補正用基準信号と前記受信パイロット信号とを混合することにより補正信号を生成し、更に、該補正信号と前記受信伝送信号とを混合することにより、前記受信伝送信号を周波数変換し、該周波数変換後の信号から前記送信装置が送信してきた元の伝送信号を抽出するよう構成され、
しかも、前記受信装置において、前記受信伝送信号から分離された受信パイロット信号又は該受信パイロット信号に基づき生成された前記補正信号が通過する信号経路上には、前記受信パイロット信号又は前記補正信号の信号レベルが目標レベルとなるよう、前記受信パイロット信号又は前記補正信号を増幅又は減衰させる第２の信号レベル制御回路が設けられていることを特徴とする。
【００１０】
次に、請求項２に記載の発明は、請求項１に記載の送受信システムにおいて、
前記受信装置には、前記第２の信号レベル制御回路に加えて、
前記ダウンコンバートによって得られた前記受信伝送信号及び前記受信パイロット信号を含む受信信号全体の平均電力を検出し、該平均電力が目標レベルとなるように該受信信号を増幅又は減衰させる第１の信号レベル制御回路、
が設けられていることを特徴とする。
【００１１】
また、請求項３に記載の発明は、請求項１又は請求項２に記載の送受信システムにおいて、前記送信装置は、前記伝送信号と前記パイロット信号とを同レベルで送信するよう構成されていることを特徴とする。
【００１３】
一方、請求項４に記載の発明は、送信すべき伝送信号と一定周波数のパイロット信号とを送信側局発信号を用いてアップコンバートし、該アップコンバート後の信号を送信アンテナから無線にて送信してくる送信装置からの送信電波を受信アンテナにて受信し、該受信信号を受信側局発信号を用いてダウンコンバートすることにより、前記伝送信号を復元する受信装置であって、
前記受信側局発信号を発生する受信側局発信号発生手段と、
該受信側局発信号発生手段が発生した受信側局発信号を用いて前記受信アンテナからの受信信号をダウンコンバートする周波数変換手段と、
該周波数変換手段にてダウンコンバートされた信号を、前記伝送信号に対応する受信伝送信号と前記パイロット信号に対応した受信パイロット信号とに分離する信号分離手段と、
前記送信装置側で生成されるパイロット信号と一定周波数関係にある補正用基準信号を生成する基準信号生成手段と、
該基準信号生成手段にて生成された補正用基準信号と前記信号分離手段にて分離された受信パイロット信号とを混合することにより、前記受信伝送信号から元の伝送信号を復元するための補正信号を生成する補正信号生成手段と、
該補正信号生成手段にて生成された補正信号と前記信号分離手段にて分離された受信伝送信号とを混合することにより、前記受信伝送信号を周波数変換し、該周波数変換後の信号から前記送信装置が送信してきた元の伝送信号を抽出する信号抽出手段と、
を備え、前記信号分離手段にて分離された受信パイロット信号が通過する信号経路上又は前記補正信号生成手段にて生成された補正信号が通過する信号経路上には、前記受信パイロット信号又は前記補正信号の信号レベルが目標レベルとなるよう、前記受信パイロット信号又は前記補正信号を増幅又は減衰させる第２の信号レベル制御回路が設けられていることを特徴とする。
【００１４】
また、請求項５に記載の発明は、請求項４に記載の受信装置において、
前記周波数変換手段から前記信号分離手段に至る受信信号の信号経路上には、前記ダウンコンバートにより得られた前記受信伝送信号及び前記受信パイロット信号を含む受信信号全体の平均電力を検出し、該平均電力が目標レベルとなるように該受信信号を増幅又は減衰させる第１の信号レベル制御回路が設けられていることを特徴とする。
【発明の効果】
【００１５】
請求項１に記載の送受信システムにおいては、送信装置が、伝送信号とパイロット信号とを送信側局発信号を用いてアップコンバートすることにより、伝送信号とパイロット信号とを同時に無線送信し、受信装置側では、受信信号を受信側局発信号を用いてダウンコンバートし、そのダウンコンバート後の信号を、受信伝送信号と受信パイロット信号とに分離して、その分離した受信パイロット信号と補正用基準信号とを混合することにより補正信号を生成し、この補正信号と受信伝送信号とを混合することにより受信伝送信号を周波数変換して、元の伝送信号を抽出する。
【００１９】
そして、特に、本発明の受信装置においては、受信伝送信号から分離された受信パイロット信号が通過する信号経路上又はこの受信パイロット信号に基づき生成された補正信号が通過する信号経路上に、第２の信号レベル制御回路が設けられており、この第２の信号レベル制御回路は、受信パイロット信号又は補正信号の信号レベルが目標レベルとなるように、受信パイロット信号又は補正信号を増幅又は減衰させる。
【００２０】
従って、本発明の送受信システムによれば、送信装置から送信されたパイロット信号が無線伝送路でのフェージングなどによってレベル変動したとしても、受信装置側では、受信パイロット信号又はこの受信パイロット信号を用いて生成される補正信号の信号レベルを適正レベルに制御して、受信伝送信号を周波数変換することが可能となる。よって、本発明によれば、受信装置側で、元の伝送信号を正確に復元することができる。
【００２１】
次に、請求項２に記載の送受信システムにおいては、受信装置に、第１の信号レベル制御回路が設けられている。そして、この第１の信号レベル制御回路は、ダウンコンバートによって得られた受信伝送信号及び受信パイロット信号を含む受信信号全体の平均電力を検出して、その平均電力が目標レベルとなるように受信信号を増幅又は減衰させる。
【００２２】
従って、請求項２に記載の送受信システムによれば、受信装置において、第１信号レベル制御回路と第２の信号レベル制御回路とにより、ダウンコンバート後の受信信号の信号レベルと、受信パイロット信号又は補正信号の信号レベルとが、各々所定の目標レベルに制御されることになる。
【００２３】
よって、請求項２に記載の送受信システムによれば、送信装置から送信されたパイロット信号が、無線伝送路でのフェージングなどによって、他の伝送信号とは異なる変動量でレベル変動したとしても、受信伝送信号と受信パイロット信号又は補正信号とを各々適正レベルに制御して、受信伝送信号から元の伝送信号を復元することができるようになり、伝送信号をより正確に復元することが可能となる。
【００２４】
次に、請求項３に記載の送受信システムは、上述した請求項１又は請求項２に記載の送受信システムにおいて、送信装置を、伝送信号とパイロット信号とを同レベルで送信するよう構成したことから、受信装置側で得られる受信伝送信号と受信パイロット信号とのレベル差を抑え、このレベル差が大きくなることによって生じる伝送信号の復元動作を抑制し、伝送信号の復元精度を向上できる。
【００２５】
なお、請求項３に記載の送受信システムにおいて、送信装置からの伝送信号とパイロット信号との送信レベルは必ずしも完全に一致させる必要はなく、実運用上は、そのレベル差が５ｄＢ以下となるようにすればよい。
【００２６】
次に、請求項４に記載の受信装置においては、周波数変換手段が、受信側局発信号発生手段が発生した受信側局発信号を用いて受信アンテナからの受信信号をダウンコンバートし、信号分離手段が、そのダウンコンバートされた信号を受信伝送信号と受信パイロット信号とに分離し、補正信号生成手段が、その分離された受信パイロット信号と基準信号生成手段にて生成された補正用基準信号とを混合することにより補正信号を生成し、信号抽出手段が、その生成された補正信号と信号分離手段にて分離された受信伝送信号とを混合することにより、受信伝送信号を周波数変換し、その周波数変換後の信号から送信装置が送信してきた元の伝送信号を抽出する。
【００２８】
そして、信号分離手段にて分離された受信パイロット信号が通過する信号経路上又は補正信号生成手段にて生成された補正信号が通過する信号経路上には、受信パイロット信号又は補正信号の信号レベルが目標レベルとなるように、受信パイロット信号又は補正信号を増幅又は減衰させる第２の信号レベル制御回路が設けられている。
【００２９】
従って、この受信装置を用いれば、請求項１に記載の送受信システムを構築することが可能となる。
また、請求項５に記載の受信装置においては、周波数変換手段から信号分離手段に至る受信信号の信号経路上に、ダウンコンバートにより得られた受信伝送信号及び受信パイロット信号を含む受信信号全体の平均電力を検出して、その平均電力が目標レベルとなるように受信信号を増幅又は減衰させる第１の信号レベル制御回路が設けられている。
【００３０】
従って、この受信装置を用いれば、請求項２に記載の送受信システムを構築することが可能となる。
【発明を実施するための最良の形態】
【００３１】
以下に本発明の一実施形態を図面と共に説明する。
［参考例］
まず図１は、本発明の参考例となる送受信システム全体の構成を表すブロック図である。
【００３２】
図１に示すように、本参考例の送受信システムは、地上波デジタル放送用テレビ放送信号の中間周波信号（地上波デジタルＩＦ信号：中心周波数３７．１５ＭＨｚ）を、テレビ放送局の送信所間で送受信するのに使用されるものであり、その地上波デジタルＩＦ信号をマイクロ波帯にアップコンバートして送信する送信装置３０と、この送信装置３０からの送信電波を受信してダウンコンバートすることにより地上波デジタルＩＦ信号を復元する受信装置５０とから構成されている。
【００３３】
図２は、送信装置３０及び受信装置５０の構成を表すブロック図である。
図２に示すように、送信装置３０には、地上波デジタルＩＦ信号を入力するための入力端子Ｔ１と、この入力端子Ｔ１からの入力信号の内、地上波デジタルＩＦ信号のみを選択的に通過させるバンドパスフィルタ（ＢＰＦ）３２と、このＢＰＦ３２を通過した地上波デジタルＩＦ信号を増幅する増幅回路３４とが備えられている。
【００３４】
また、送信装置３０には、地上波デジタルＩＦ信号とほぼ同じ周波数帯で一定周波数ｆｐ（例えば、３３．１５ＭＨｚ）のパイロット信号（ＰＩＬＯＴ）を発生する発振器３６と、地上波デジタルＩＦ信号及びパイロット信号（ＰＩＬＯＴ）をＶＨＦ帯にアップコンバートするのに必要な所定周波数ｆｔ１（例えば２６０ＭＨｚ）の送信側第１局発信号を発生する発振器３８と、この送信側第１局発信号を用いてＶＨＦ帯にアップコンバートされた地上波デジタルＩＦ信号及びパイロット信号（ＰＩＬＯＴ）を送信用のマイクロ波帯にアップコンバートするのに必要な所定周波数ｆｔ２（例えば、５５９５．３５ＭＨｚ）の送信側第２局発信号を発生する発振器４０とが設けられている。
【００３５】
そして、発振器３６が発生したパイロット信号（ＰＩＬＯＴ）は、方向性結合器３７を介して、増幅回路３４にて増幅された地上波デジタルＩＦ信号に重畳される。また、このように地上波デジタルＩＦ信号にパイロット信号（ＰＩＬＯＴ）を重畳した伝送信号（地上波デジタルＩＦ信号＋ＰＩＬＯＴ）は、ミキサ３９に入力され、このミキサ３９にて、発振器３８が発生した第１局発信号と混合されることにより、ＶＨＦ帯の伝送信号にアップコンバートされる。また更に、このアップコンバート後の伝送信号は、ミキサ４１に入力され、このミキサ４１にて、発振器４０が発生した第２局発信号と混合されることにより、マイクロ波帯の伝送信号にアップコンバートされる。
【００３６】
また、ミキサ４１の出力側にはバンドパスフィルタ（ＢＰＦ）４２が設けられており、このＢＰＦ４２では、ミキサ３９、４１にて順にアップコンバートされたマイクロ波帯の伝送信号（地上波デジタルＩＦ信号＋ＰＩＬＯＴ）のみが選択的に抽出される。そして、ＢＰＦ４２にて選択的に抽出されたアップコンバート後の伝送信号（地上波デジタルＩＦ信号＋ＰＩＬＯＴ）は、マイクロ波用の増幅回路４４に入力され、この増幅回路４４にて所定レベルまで増幅された後、送信アンテナ４６から受信装置５０に向けて送信される。
【００３７】
なお、送信アンテナ４６からの伝送信号（地上波デジタルＩＦ信号）とパイロット信号（ＰＩＬＯＴ）との送信レベルは、増幅回路３４の増幅率や発振器３６の信号出力レベルを調整することにより、少なくとも信号レベル差が５ｄＢ以下となるように設定されている。
【００３８】
一方、受信装置５０には、受信アンテナ５１からの受信信号を増幅するマイクロ波用の増幅回路５２と、この増幅回路５２にて増幅された受信信号をダウンコンバートするのに必要な所定周波数ｆｒ１（例えば、送信側第２局発信号と同じ周波数：５５９５．３５ＭＨｚ）の受信側局発信号を発生する発振器５４と、この発振器５４が発生した受信側局発信号と増幅回路５２にて増幅された受信信号とを混合することにより、受信信号をダウンコンバートするミキサ５６と、このミキサ５６にてダウンコンバートされた受信信号の内、送信装置３０から送信された伝送信号（地上波デジタルＩＦ信号）及びパイロット信号（ＰＩＬＯＴ）に各々対応した受信伝送信号（地上波デジタルＩＦ信号′）及び受信パイロット信号（ＰＩＬＯＴ′）のみを選択的に通過させるバンドパスフィルタ（ＢＰＦ）５８とが備えられている。
【００３９】
そして、ＢＰＦ５８を通過した受信信号（地上波デジタルＩＦ信号′＋ＰＩＬＯＴ′）は、増幅回路６０にて増幅された後、信号レベル調整用の可変減衰器（ＡＴＴ）６２にて一旦減衰され、その後、増幅回路６４にて更に増幅された後、２系統に分離される。
【００４０】
また、増幅回路６４から信号分離点までの経路上には、受信信号（地上波デジタルＩＦ信号′＋ＰＩＬＯＴ′）の一部を分岐させる分岐回路６６が設けられており、この分岐回路６６にて分岐された受信信号（地上波デジタルＩＦ信号′＋ＰＩＬＯＴ′）は、検波回路６８にて、その平均電力を表す電圧信号に変換され、可変減衰器（ＡＴＴ）６２の減衰量を調整するのに利用される。
【００４１】
つまり、可変減衰器６２、増幅回路６４、分岐回路６６、及び、検波回路６８は、受信信号（地上波デジタルＩＦ信号′＋ＰＩＬＯＴ′）の信号レベルが予め設定された目標レベルとなるように利得調整を行うＡＧＣ回路として構成されており、本発明の第１の信号レベル制御回路として機能する。
【００４２】
次に、分岐回路６６を通過して２系統に分離された受信信号の信号経路の内、一方の信号経路には、地上波デジタルＩＦ信号に対応した受信伝送信号（地上波デジタルＩＦ′、中心周波数：２９７．１５ＭＨｚ）のみを選択的に通過させるバンドパスフィルタ（ＢＰＦ）７０が設けられており、他方の信号経路には、パイロット信号に対応した受信パイロット信号（ＰＩＬＯＴ′：２９３．１５ＭＨｚ）のみを選択的に通過させるバンドパスフィルタ（ＢＰＦ）７２が設けられている。
【００４３】
そして、ＢＰＦ７０を通過した受信伝送信号（地上波デジタルＩＦ′）は、増幅回路７４にて増幅された後、ミキサ７６に入力される。
一方、ＢＰＦ７２を通過した受信パイロット信号（ＰＩＬＯＴ′）は、ミキサ７８にて、発振器８０にて生成された一定周波数ｆｒ２の補正用基準信号（ＳＢＡＳＥ）と混合される。
なお、本参考例では、この補正用基準信号（ＳＢＡＳＥ）の周波数ｆｒ２は、送信装置３０側でアップコンバートされる前のパイロット信号（ＰＩＬＯＴ）と同じ周波数ｆｐ（３３．１５ＭＨｚ）に設定されている。
【００４４】
また、このようにミキサ７８にて混合された信号は、受信パイロット信号（ＰＩＬＯＴ′）と補正用基準信号（ＳＢＡＳＥ）との周波数の差の周波数ｆｈを有する信号成分のみを通過させるバンドパスフィルタ（ＢＰＦ）８２に入力されることにより、送信装置３０側の第１局発信号と略同じ周波数ｆｔ１（２６０ＭＨｚ）を有する補正信号に変換される。
【００４５】
そして、この補正信号は、ミキサ７６に入力され、このミキサ７６にて、ＢＰＦ７０により抽出された受信伝送信号（地上波デジタルＩＦ信号′）と混合される。この結果、ミキサ７６では、受信伝送信号（地上波デジタルＩＦ信号′）が、送信装置３０側でアップコンバートされる前の元の地上波デジタルＩＦ信号（中心周波数：３７．１５ＭＨｚ）に周波数変換（ダウンコンバート）されることになる。
【００４６】
そして、このようにミキサ７６で周波数変換（ダウンコンバート）された地上波デジタルＩＦ信号は、バンドパスフィルタ（ＢＰＦ）８４を介して、増幅回路８６に入力され、増幅回路８６にて所定レベルまで増幅された後、バンドパスフィルタ（ＢＰＦ）８８、出力端子Ｔ２を介して、所定の放送機器に出力される。
【００４７】
以上説明したように、本参考例の送受信システムにおいては、まず、送信装置３０側にて、地上波デジタルＩＦ信号と、この地上波デジタルＩＦ信号と略同じ周波数帯で一定周波数ｆｐのパイロット信号（ＰＩＬＯＴ）とを、周波数ｆｔ１の送信側第１局発信号と周波数ｆｔ２の送信側第２局発信号とを用いてマイクロ波帯へアップコンバートし、そのアップコンバート後の伝送信号を無線にて送信する。
【００４８】
一方、受信装置５０側では、送信装置３０からの送信電波を受信アンテナ５１にて受信し、その受信信号を、送信側第２局発信号と同じ周波数ｆｒ１（＝ｆｔ２）の受信側局発信号を用いてダウンコンバートし、ダウンコンバート後の受信信号を、地上波デジタルＩＦ信号に対応した受信伝送信号（地上波デジタルＩＦ信号′）と、パイロット信号（ＰＩＬＯＴ）に対応した受信パイロット信号（ＰＩＬＯＴ′）とに分離し、その受信パイロット信号（ＰＩＬＯＴ′）を、元のパイロット信号と同じ周波数ｆｒ２（＝ｆｐ）の補正用基準信号（ＳＢＡＳＥ）を用いて周波数変換することにより、送信側第１局発信号と同じ周波数ｆｈ（＝ｆｔ１）を有する補正信号を生成し、この補正信号と受信伝送信号（地上波デジタルＩＦ信号′）とを混合することにより、受信伝送信号（地上波デジタルＩＦ′）を周波数変換し、その周波数変換後の信号の中から、送信装置３０がアップコンバートする前の元の地上波デジタルＩＦ信号を抽出する。
【００４９】
従って、本参考例の送受信システムによれば、送信側局発信号や受信側局発信号に周波数変動が生じたとしても、受信装置５０側では、その周波数変動の影響を受けることなく伝送信号（地上波デジタルＩＦ信号）を正確に復元できることになる。
【００５０】
また、受信装置５０において、ミキサ５６でのダウンコンバートによって得られる受信伝送信号（地上波デジタルＩＦ信号′）の信号レベルは、送信装置３０と受信装置５０との間の無線伝送路の距離やその間で生じる電波の伝播状態によって変化し、その変動量が大きいと、ミキサ７６にて受信伝送信号と補正信号とを混合しても、元の伝送信号（地上波デジタルＩＦ信号）を正確に復元することができなくなることがあるが、本参考例では、ＢＰＦ７０、７２にて受信信号（地上波デジタルＩＦ信号′＋ＰＩＬＯＴ′）を受信伝送信号（地上波デジタルＩＦ信号′）と受信パイロット信号（ＰＩＬＯＴ′）とに分離する前に、受信信号全体の平均電力が所定の目標レベルとなるように、受信信号（地上波デジタルＩＦ信号′＋ＰＩＬＯＴ′）の信号レベルを調整するようにしているので、受信伝送信号（地上波デジタルＩＦ信号′）と受信パイロット信号（ＰＩＬＯＴ′）とが各々レベル変動したとしても、これら各信号が目標レベルから大きくずれるのを防止し、ミキサ７６にて元の伝送信号（地上波デジタルＩＦ信号）をより正確に復元することができるようになる。
【００５１】
また本参考例では、送信装置３０から送信信号の信号レベルを、伝送信号（地上波デジタルＩＦ信号）とパイロット信号（ＰＩＬＯＴ）とで略一致させているので、これによっても、受信装置５０側で受信伝送信号（地上波デジタルＩＦ信号′）と受信パイロット信号（ＰＩＬＯＴ′）との信号レベルが目標レベルから大きくずれるのを防止し、受信装置５０での伝送信号（地上波デジタルＩＦ信号）の復元精度を向上できる。
【００５２】
なお、本参考例の受信装置５０において、発振器５４は、本発明の受信側局発信号発生手段に相当し、ミキサ５６は、本発明の周波数変換手段に相当し、ＢＰＦ７０、７２は、本発明の信号分離手段に相当し、発振器８０は、基準信号発生手段に相当し、ミキサ７８及びＢＰＦ８２は、本発明の補正信号生成手段に相当し、ミキサ７６及びＢＰＦ８４は、本発明の信号抽出手段に相当する。
［実施形態］
次に、本発明が適用された実施形態の送受信システムについて説明する。
【００５３】
図３は、この送受信システムで用いられる受信装置５０の構成を表すブロック図である。
なお、本実施形態の送受信システムで用いられる送信装置は、図２に示した参考例のものと同じであり、受信装置５０も、基本的には図２に示した参考例のものと同じで、参考例のものに一部構成を追加したものであることから、以下の説明では、受信装置５０において上記参考例と異なる点についてのみ説明する。
【００５４】
図３に示すように、本実施形態の受信装置５０には、バンドパスフィルタ（ＢＰＦ）７２を通過した受信パイロット信号（ＰＩＬＯＴ′）の信号レベルを目標レベルに制御する第２の信号レベル制御回路が設けられ、この第２の信号レベル制御回路にて目標レベルに制御された受信パイロット信号（ＰＩＬＯＴ′）を、補正信号生成用のミキサ７８に入力するようにされている。
【００５５】
そして、本実施形態において、第２の信号レベル制御回路は、ＢＰＦ７２を通過した受信パイロット信号（ＰＩＬＯＴ′）を減衰させる可変減衰器（ＡＴＴ）９２と、この可変減衰器（ＡＴＴ）９２を通過した受信パイロット信号を増幅する増幅回路９４と、この増幅回路９４にて増幅された受信パイロット信号（ＰＩＬＯＴ′）をミキサ７８に入力すると共に、その信号の一部を分岐させる分岐回路９６と、この分岐回路６６にて分岐された受信パイロット信号（ＰＩＬＯＴ′）を検波してその信号レベルを表す電圧信号を生成する検波回路９８とから構成されており、この検波回路９８からの電圧信号にて可変減衰器（ＡＴＴ）９２の減衰量を調整することにより、補正信号を生成するのに用いられる受信パイロット信号（ＰＩＬＯＴ′）の信号レベルを、予め設定された目標レベルに制御する。
【００５６】
このように、本実施形態の受信装置５０には、ミキサ５６にてダウンコンバートされてから、バンドパスフィルタ（ＢＰＦ）７０、７２にて受信伝送信号（地上波デジタルＩＦ信号′）と受信パイロット信号（ＰＩＬＯＴ′）とに分離される前の受信信号（地上波デジタルＩＦ信号′＋ＰＩＬＯＴ′）の信号レベルだけでなく、バンドパスフィルタ（ＢＰＦ）７０、７２にて分離されて補正信号を生成するのに用いられる受信パイロット信号（ＰＩＬＯＴ′）の信号レベルをも、予め設定された目標レベルに制御される。
【００５７】
このため、送信装置３０から送信されたパイロット信号が、無線伝送路でのフェージングなどによって、伝送信号とは異なる変動量でレベル変動したとしても、受信パイロット信号（ＰＩＬＯＴ′）を適正レベルに制御して、適正レベルの補正信号を生成することができるようになり、その生成した補正信号を用いて、伝送信号（地上波デジタルＩＦ信号）をより正確に復元することが可能となる。
【００５８】
以上、本発明を適用した実施形態について説明したが、本発明は、上記実施形態の限定されるものではなく、本発明の要旨を逸脱しない範囲内にて種々の態様を採ることができる。
【００５９】
例えば、受信装置５０には、受信信号（地上波デジタルＩＦ信号′＋ＰＩＬＯＴ′）全体の信号レベルを制御する第１の信号レベル制御回路は設けず、受信パイロット信号（ＰＩＬＯＴ′）の信号レベルを制御する第２の信号レベル制御回路だけを設けるようにしても、従来装置に比べて、伝送信号（地上波デジタルＩＦ信号）の復元精度を向上することはできる。
【００６０】
また、上記実施形態では、第２の信号レベル制御回路としての可変減衰器９２、増幅回路９４、ミキサ９６、及び検波回路９８により、バンドパスフィルタ（ＢＰＦ）７２を通過した受信パイロット信号（ＰＩＬＯＴ′）の信号レベルを制御するものとして説明したが、この第２の信号レベル制御回路としては、バンドパスフィルタ（ＢＰＦ）８２からミキサ７６に至る補正信号の信号経路上に設けることにより、補正信号の信号レベルを直接目標レベルに制御するようにしてもよい。
【００６１】
また、上記実施形態では、第１の信号レベル制御回路及び第２の信号レベル制御回路は、可変減衰器（ＡＴＴ）６２、９２の減衰量を調整することにより、受信信号やパイロット信号の信号レベルを目標レベルに制御するものとして説明したが、増幅回路６４、９４の動作電圧を調整することによって、増幅回路６４、９４自体の利得を直接制御するよう構成してもよい。
【００６２】
また更に、上記実施形態では、テレビ放送の送信所間で地上波デジタルＩＦ信号をマイクロ波に周波数変換して無線伝送する送受信システムについて説明したが、本発明において、伝送信号としては、地上波デジタルＩＦ信号に限定されるものではなく、また、その伝送信号を無線伝送する周波数としても、マイクロ波に限定されるものではない。
【図面の簡単な説明】
【００６３】
【図１】参考例の送受信システム全体の構成を表す構成図である。
【図２】参考例の送受信システムを構成する送信装置及び受信装置の回路構成を表すブロック図である。
【図３】実施形態の送受信システムを構成する送信装置及び受信装置の回路構成を表すブロック図である。
【符号の説明】
【００６４】
３０…送信装置、３２…バンドパスフィルタ（ＢＰＦ）、３４，４４…増幅回路、３６，３８，４０…発振器、３７…方向性結合器、３９，４１…ミキサ、４６…送信アンテナ、５０…受信装置、５１…受信アンテナ、５２，６０，６４，７４，８６…増幅回路、５４…発振器、５６，７６，７８…ミキサ、６２…可変減衰器（ＡＴＴ）、６６…分岐回路、６８…検波回路、８０…発振器、５８，７０，７２，８２，８４，８８…バンドパスフィルタ（ＢＰＦ）、９２…可変減衰器（ＡＴＴ）、９４…増幅回路、９６…分岐回路、９８…検波回路。
【図１】
0004695955.tif 000002
【図２】
0004695955.tif 000003
【図３】
0004695955.tif 000004